(57)【特許請求の範囲】
【請求項１】
穀粒を流下すべく形成した穀粒流下通路（８）に隣接した熱風室（５）内に、ヒートパイプ（１１）に遠赤外線放射体材料を溶着する構成の遠赤外線放射体（１２）を前後方向に横設した穀物乾燥機において、前記遠赤外線放射体（１２）は上記ヒートパイプ（１１）の端部をバーナ（１０）によって加熱すると遠赤外線を放射するよう構成し、この遠赤外線放射体（１２）の上方に、反射板（４２）を設けたことを特徴とする遠赤外線乾燥機。
【発明の詳細な説明】
【０００１】
【産業上の利用分野】
この発明は遠赤外線乾燥機に関し、穀物乾燥機等に利用しうる。
【０００２】
【従来の技術及び発明が解決しようとする課題】
従来穀物乾燥は灯油バーナによる乾燥が主であるが、天火乾燥に近い乾燥方法であるとされ、穀物品質の維持の都合よいとして遠赤外線を放射する乾燥方法が提案されている（例えば特開平2-208489号公報）。
【０００３】
しかしながら、上記の形態では遠赤外線放熱のために電気ヒーターを用いるからエネルギーコストを徒に高くし、実用的でない欠点がある。
【０００４】
【課題を解決するための手段】
この発明は上記の欠点を解消しようとするもので、穀粒を流下すべく形成した穀粒流下通路（８）に隣接した熱風室（５）内に、ヒートパイプ（１１）に遠赤外線放射体材料を溶着する構成の遠赤外線放射体（１２）を前後方向に横設した穀物乾燥機において、前記遠赤外線放射体（１２）は上記ヒートパイプ（１１）の端部をバーナ（１０）によって加熱すると遠赤外線を放射するよう構成し、この遠赤外線放射体（１２）の上方に、反射板（４２）を設けたことを特徴とする遠赤外線乾燥機とする。
【０００５】
【発明の作用効果】
ヒートパイプ（１１）の一端を加熱するとヒートパイプ（１１）内の気体と液体の対流によって均一な温度になり、これに溶着された遠赤外線放射体（１２）から万弁なく放熱される。従って熱風室を前後に長く形成する場合であっても、遠赤外線の放熱が均一になり乾燥むらが生じ難く、然も熱風室（５）内の遠赤外線放射体（１２）上方の反射板（４２）により、上方への放射を制限し下方に反射させるため、遠赤外線による乾燥の効率を向上する。
【０００６】
【発明の実施の形態】
この発明の一実施例を図面に基づき説明する。１は穀物乾燥装置の機枠で、内部には貯留タンク２、乾燥室３、集穀室４の順に積み重ねられる。乾燥室３内には、左右一対設けられ断面菱形状の熱風室５，５を形成すべく、上半部はハ字形の板金材６，６で下半部を通気性板材７，７で構成される。このうち下半部の通気性板材７，７と平行に穀物流下通路８，８を挾んで通気性板材９，９を固着している。
【０００７】
上記熱風室５，５には、後記バーナ１０燃焼によって下端側垂直部が加熱されるヒートパイプ１１，１１の中間部から他端部にわたる水平状部を上下３段に配設する。そしてこれらヒートパイプ１１，１１にはその表面側にアルミナ・チタン系の遠赤外線放射体材料をプラズマ溶射することによって遠赤外線放射体１２を構成する。このように構成された放射体からの放射熱は穀物流下通路８，８の穀物に放射され吸収される。吸収された熱エネルギーで気化した水分は、排風室１３，１３，１３の後部側に接続する吸引ファン１４で排出される。
【０００８】
又、集穀室４内の、Ｖ型に形成された上記穀物流下通路８，８の集合下部には夫々繰出バルブ１５，１５を設け、これら繰出バルブからの所定量毎の繰出穀物をホッパ状に形成する集穀樋１６に集めてその下部に横設する下部移送螺旋１７で機外立設の昇降機１８に移送できる構成である。
【０００９】
昇降機１８の上部側には投出筒１９を接続し、貯留タンク２天井部に横設する上部移送螺旋２０樋２１の始端側に穀物供給できる。２２は、移送螺旋樋２１にて移送される穀物を貯留タンク２中央上部位置で受けて縦軸２３回りに回転しながら拡散する拡散盤である。
【００１０】
この拡散盤２１は平面視矩形を呈し、その４角部分に適宜の穀物排出部空間を有するよう起立壁を夫々形成して、当該空間部から穀物が回転接線方向に放出される構成である。尚、縦軸２３は螺旋２０軸にベベルギア等の連動機構を介して所定回転数で回転連動可能に設けられる。
【００１１】
前記バーナ１０の設置構造について、該バーナ１０は気化筒や燃焼用１次空気送風ファン等を内蔵する回転気化型の灯油バーナを採用し、これを横姿勢にして前記集穀樋１６の片側裏面に形成される三角空間に収容している。その火炎は機枠正面側に向かうよう設置される。バーナ１０正面側の集穀室機壁４ａには熱風通過口４ｂを開口し、その前面には下部風胴２４を、その上部で前記熱風室５，５入口に開口する乾燥室機壁口部３ａ，３ｂ前面には上部風胴２５を夫々着脱自在に設ける。下部風胴２３には外気導入用スリット孔２６，２６及びステンレス製の反射板２７を固着している。この下部風胴２４から上部風胴２５にわたる間で略垂直状とされ直角に折れ曲がって水平状部を左右各熱風室５，５に延出すべく前記ヒートパイプ１１，１１を左右夫々に設けている。バーナ１０の燃焼火炎は前記吸引ファン１４の回転によって前方に噴出されるが、ヒートパイプ１１，１１の端部を加熱する構成である。該ヒートパイプ１１の端部には受熱用フィン２８を配設している。
【００１２】
なお、バーナ１０燃焼に伴い、ヒートパイプ１１，１１の端部加熱用に用いた余りは、乾燥用風となって下部風胴２４，上部風胴２５を経て熱風室５，５に至る構成である。前記上部風胴２５の外面には乾燥機用コントローラ４３を固定し、更に風胴２５前面を覆うようにカバー２９を設ける。
【００１３】
４２はヒートパイプ１１，１１の上面に適宜間隔離れて設ける反射板で、穀物循環機構等の運転制御は、乾燥制御に必要な制御プログラムや各種データ等を記憶するメモリを備える前記コントローラ４３の演算制御部３０によって行なわれる。
【００１４】
即ち、このコントローラ２６の操作パネルに設ける各種設定スイッチ類３１〜３４からの設定情報と乾燥機機枠１各部に配設したセンサ類からの検出情報等を受けて必要な比較演算のもと、遠赤外線放熱体１２の放熱温度、即ちバーナ１０燃焼量の制御や、穀物繰り出し量の制御等を行うものである。
【００１５】
なお、前記演算制御部３０は主に次の機能を有する。即ち、（１）乾燥スイッチ３２による乾燥開始指令信号を受けて運転各部、例えば昇降機モータ３７，繰出バルブモータ３８等穀物循環系モータに起動信号を出力し、かつ吸引ファンモータ３９に起動信号を出力する。（２）次いで、バーナ１０着火用イグナイタ（図示せず）オン信号，燃料バルブ４０開信号を出力する。（３）熱風室５の所定位置に配設してある熱風温度センサ４１からの検出信号を入力し、予め設定してある乾燥温度に一致すべくバーナ１０燃焼量を増減変更する。（４）設定仕上げ水分の検出信号を受けて穀物循環系モータや燃焼系等の運転各部を停止すべく信号出力する。等である。
【００１６】
上例の作用について説明する。図外横張込ホッパに投入された穀物は、張込スイッチ３１をオンすることにより駆動する下部移送螺旋１７、昇降機１８等を経て揚上され、引き続き上部移送螺旋樋２１を経て、天井部中央に至り、縦軸２３回りに回転する拡散盤２２面に供給されると所定の拡散軌跡を描きながら落下し貯留タンク２に張り込まれる。
張込完了すると、乾燥作業に移行するが、前段で穀物種類の設定や希望の乾燥仕上げ水分値、及び乾燥温度を設定する。上記の処理が行われて乾燥スイッチ３２をＯＮすると、昇降機１８，上下移送螺旋、繰出バルブ等は運転を開始し、かつ吸引ファン１４も運転を開始する。同時にバーナ１０の着火用イグナイタや燃料バルブ等がオン乃至開動作し、バーナ１０も駆動状態におかれる。
【００１７】
ここで、バーナ１０火炎はヒートパイプ１１，１１の端部を加熱し、熱風室５，５内において当該ヒートパイプ１１に溶着された遠赤外線放熱体１２を加熱し、この放射体１２から遠赤外線が放射される。放射熱は吸引ファン１４の吸引作用によって適宜導入外気と共に穀物流下通路８，８を経て排風室１３に至り穀物を乾燥処理するものである。この際、反射板４２は遠赤外線の上方への放射を制限し、下方へ反射させることにより穀物流下通路８，８を流下する穀物の乾燥を促す。尚、熱風室５にはバーナ１０の燃焼火炎の一部が導入外気を伴って熱風化して導入され、上記の遠赤外線による放射熱を補助することができる。これら遠赤外線放射熱と補助熱風との合成熱風温度が予め設定した温度となるよう、バーナ１０をＯＮ，ＯＦＦ制御し、あるいはこのバーナ１０の燃焼量を大小に変更するものである。
【００１８】
乾燥室３でバーナ１０による熱風を浴びた穀物は、集穀室４の下部移送螺旋１７，昇降機１８，上部移送螺旋樋２１を経由して再び貯留タンク２に戻され調質作用を受ける。このような行程を繰返し、所定の水分値に達すると乾燥終了するものである。
【００１９】
直接バーナで長い遠赤外線放熱体１２を加熱すると、その長手方向において、バーナ加熱側の放射温度が高く遠くなるほど低くなり差異が生じ易いが、上記のように遠赤外線放射体１２をヒートパイプ１１に溶着する形態とすれば、このような温度のばらつきが少なくなり、ひいては乾燥むらを少なくする。
【図面の簡単な説明】
【図１】要部の側断面図である。
【図２】穀物乾燥機の正断面図である。
【図３】穀物乾燥機の側断面図である。
【図４】制御ブロック図である。
【符号の説明】
１…穀物乾燥装置機枠、２…貯留タンク、３…乾燥室、４…集穀室、５，５…熱風室、６，６…板金材、７，７…通気性板材、８，８…穀物流下通路、９，９…通気性板材、１０…バーナ、１１ａ，１１ｂ，１１ｃ…ヒートパイプ、１２…遠赤外線放射体、１３…排風室、１４…吸引ファン、１５，１５…繰出バルブ、１６…集穀樋、１７…下部移送螺旋、１８…昇降機、１９…投出筒、２０…上部移送螺旋、２１…樋、２２…拡散盤、２４…下部風胴、２５…上部風胴、２８…受熱用フィン、２９…カバー、３０…演算制御部、３１〜３４…各種設定スイッチ類、３７…昇降機モータ、３８…繰出バルブモータ、３９…吸引ファンモータ、４０…燃料バルブ、４１…熱風温度センサ、４２…反射板、４３…コントローラ
【図１】
0003651019.tif 000002
【図２】
0003651019.tif 000003
【図３】
0003651019.tif 000004
【図４】
0003651019.tif 000005